(57)【要約】【課題】入力されたTDMS信号が、音声信号のあるHDMI信号であるのか、それとも音声信号のないDVI信号であるのかを的確に検出できるようにする。【解決手段】DVI/HDMI入力部１１Ｖには、TDMS信号が入力される。CPU２３は、DVI/HDMI入力部１１Ｖを制御して、入力されたTDMS信号におけるGuard Bandの有無を検出ラインｂを検出することで、音声信号の無いDVI信号であるのか、それとも音声信号のあるHDMI信号であるのかを判定する。本発明は、画像表示装置に適用可能である。【選択図】図１
2010028552.tif 000002
【特許請求の範囲】
【請求項１】
入力されたTMDS（Transition Minimized Differential Signaling）信号から、Data Island PeriodにおけるGuard Bandの有無を検出する第１信号検出手段と、
前記第１信号検出手段により前記Guard Bandが有ると検出された場合、前記TMDS信号はHDMI（High-Definition Multimedia Interface）信号であると検出し、前記第１信号検出手段により前記Guard Bandが無いと検出された場合、前記TMDS信号はDVI（Digital Visual Interface）であると検出する第２信号検出手段と
を備える情報処理装置。
【請求項２】
前記第２信号検出手段は、さらに、
前記TMDS信号はHDMI信号であると検出した場合、前記TMDS信号は音声信号が含まれていると検出し、
前記TMDS信号はDVI信号であると検出した場合、前記TMDS信号は音声信号が含まれていないと検出する
請求項１に記載の情報処理装置。
【請求項３】
音声信号と映像信号とを含むAV信号のうち、前記映像信号を入力する映像入力端子と、前記映像信号とは別のケーブルで伝送される前記音声信号を入力する音声入力端子とを含む入力手段をさらに備え、
前記第２信号検出手段は、さらに、
前記音声入力端子に前記ケーブルが接続されているか否かを物理的に検出し、
前記ケーブルが接続されていると検出した場合、前記AV信号は音声信号が含まれていると検出し、
前記ケーブルが接続されていないと検出した場合、前記AV信号は音声信号が含まれていないと検出する
請求項２に記載の情報処理装置。
【請求項４】
情報処理装置が、
入力されたTMDS（Transition Minimized Differential Signaling）信号から、Data Island PeriodにおけるGuard Bandの有無を検出し、
前記Guard Bandが有ると検出された場合、前記TMDS信号はHDMI（High-Definition Multimedia Interface）信号であると検出し、
前記Guard Bandが無いと検出された場合、前記TMDS信号はDVI（Digital Visual Interface）であると検出する
ステップを含む情報処理方法。
【請求項５】
TMDS（Transition Minimized Differential Signaling）信号を入力する信号処理装置を制御するコンピュータが、
前記信号処理装置に入力された前記TMDS信号から、Data Island PeriodにおけるGuard Bandの有無を検出し、
前記Guard Bandが有ると検出された場合、前記TMDS信号はHDMI（High-Definition Multimedia Interface）信号であると検出し、
前記Guard Bandが無いと検出された場合、前記TMDS信号はDVI（Digital Visual Interface）であると検出する
ステップを含む制御処理を実行するプログラム。
【発明の詳細な説明】
【技術分野】
【０００１】
本発明は、情報処理装置および方法、並びにプログラムに関し、特に、TDMS（Transition Minimized Differential Signaling）信号が入力される場合に音声信号の有無を検出することができるようになった情報処理装置および方法、並びにプログラムに関する。
【背景技術】
【０００２】
従来、複数の外部映像出力機器を入力端子によって接続できる装置が存在した。例えば、このような装置として、テレビジョン受像機などが該当する。ユーザは、装置のメニューやリモートコントローラを操作して、視聴対象の入力端子を選択していた。例えば特許文献１には、HDMI（High-Definition Multimedia Interface）入力端子と、DVI（Digital Visual Interface）入力端子を有するテレビジョン受像機において、HDMI信号とDVI信号を、接続を変えることなく切り替えてTDMS信号として出力する手法が開示されている。
【特許文献１】特開２００６-１９９４７号公報
【０００３】
しかしながら、上述の従来の手法では、テレビジョン受像機の、HDMI入力端子に、音声信号を伝送できないDVI信号が接続される場合があった。このような場合、装置から音声は出力されず、映像のみの視聴となっていた。
【０００４】
従って、TDMS信号が入力される場合、音声信号の有無の検出が重要である。しかしながら、かかる検出手法として適切な手法が存在しない状況である。
【０００５】
本発明はこのような状況に鑑みてなされたものであり、TDMS信号が入力される場合に音声信号の有無を検出することができるようにするものである。
【発明の開示】
【課題を解決するための手段】
【０００６】
本発明の情報処理装置は、入力されたTMDS（Transition Minimized Differential Signaling）信号から、Data Island PeriodにおけるGuard Bandの有無を検出する第１信号検出手段と、第１信号検出手段によりGuard Bandが有ると検出された場合、TMDS信号はHDMI（High-Definition Multimedia Interface）信号であると検出し、第１信号検出手段によりGuard Bandが無いと検出された場合、TMDS信号はDVI（Digital Visual Interface）であると検出する第２信号検出手段を備えることを特徴とする。
【０００７】
前記第２信号検出手段は、さらに、前記TMDS信号はHDMI信号であると検出した場合、前記TMDS信号は音声信号が含まれていると検出し、前記TMDS信号はDVI信号であると検出した場合、前記TMDS信号は音声信号が含まれていないと検出する。
【０００８】
本発明の情報処理装置は、音声信号と映像信号とを含むAV信号のうち、前記映像信号を入力する映像入力端子と、前記映像信号とは別のケーブルで伝送される前記音声信号を入力する音声入力端子とを含む入力手段をさらに備え、前記第２信号検出手段は、さらに、前記音声入力端子に前記ケーブルが接続されているか否かを物理的に検出し、前記ケーブルが接続されていると検出した場合、前記AV信号は音声信号が含まれていると検出し、ケーブルが接続されていないと検出した場合、前記AV信号は音声信号が含まれていないと検出する。
【０００９】
本発明の情報処理方法は、情報処理装置が、入力されたTMDS（Transition Minimized Differential Signaling）信号から、Data Island PeriodにおけるGuard Bandの有無を検出し、前記Guard Bandが有ると検出された場合、前記TMDS信号はHDMI（High-Definition Multimedia Interface）信号であると検出し、前記Guard Bandが無いと検出された場合、前記TMDS信号はDVI（Digital Visual Interface）であると検出するステップを含むことを特徴とする。
【００１０】
本発明のプログラムは、TMDS（Transition Minimized Differential Signaling）信号を入力する信号処理装置を制御するコンピュータに実行させるプログラムであって、信号処理装置に入力された前記TMDS信号から、Data Island PeriodにおけるGuard Bandの有無を検出し、前記Guard Bandが有ると検出された場合、前記TMDS信号はHDMI（High-Definition Multimedia Interface）信号であると検出し、前記Guard Bandが無いと検出された場合、前記TMDS信号はDVI（Digital Visual Interface）であると検出するステップを含むことを特徴とする。
【発明の効果】
【００１１】
以上のごとく、本発明によれば、入力されたTDMS信号が、音声信号のあるHDMI信号であるのか、それとも音声信号のないDVI信号であるのかを的確に検出できる。
【発明を実施するための最良の形態】
【００１２】
以下、図面を参照して、本発明が適用される情報処理装置の一実施の形態を説明する。
【００１３】
図１は、本発明が適用される情報処理装置の一実施の形態としての画像表示装置の構成を示すブロック図である。
【００１４】
画像表示装置は、DVI/HDMI入力部（HDMIレシーバ）乃至音声出力部２６を含むように構成されている。
【００１５】
DVI/HDMI入力部（HDMIレシーバ）１１Ｖは、HDMI信号が入力された場合、そのうちの映像信号を表示制御部１８に出力し、そのうちの音声信号をD/A変換部１６に出力する。即ち、DVI/HDMI入力部１１Ｖは、HDMIレシーバとして機能する。
【００１６】
また、DVI/HDMI入力部１１ＶはDVI信号が入力された場合、その映像信号を表示制御部１８に出力する。即ち、DVI信号は、音声信号を伝送できないため、DVI/HDMI入力部１１ＶからD/A変換部１６への出力は禁止される。
【００１７】
DVI/HDMI入力部１１Ｖに入力された信号がHDMIであるのかDVI信号であるのかの検出は、検出ラインｂを介してCPU２３によってなされる。この検出手法については、図２と図３を参照して後述する。
【００１８】
PC入力部１２Ｖは、パーソナルコンピュータからのAV信号（Audio and Visual信号）のうち映像信号を入力してA/D変換部２０に出力する。
【００１９】
音声入力部１２Ａは、パーソナルコンピュータからのAV信号のうち音声信号ASを入力し、音声信号切替部２４に出力する。
【００２０】
アンテナ部１３は、放送局から放送された放送番組を構成する映像信号や音声信号を電波として受信して、チューナ部２１に出力する。
【００２１】
ビデオ入力部１４Ｖは、外部機器からのAV信号のうち映像信号を入力し、画像処理部２２に出力する。
【００２２】
音声入力部１４Ａは、外部機器からのAV信号のうち音声信号ASを入力し、音声信号切替部２４に出力する。
【００２３】
D/A変換部１６は、DVI/HDMI入力部１１Ｖから出力されたデジタルの音声信号を、アナログの音声信号ASに変換し、音声信号切替部２４に出力する。
【００２４】
映像信号切替部１７は、CPU２３の制御に基づいて、チューナ部２１からの映像信号と、画像処理部２２からの映像信号の中から１つを選択し、選択した映像信号を表示制御部１８に出力する。
【００２５】
表示制御部１８は、CPU２３の制御に基づいて、DVI/HDMI入力部１１Ｖからの映像信号、映像信号切替部１７からの映像信号、および、A/D変換部２０を介するPC入力部１２Ｖからの映像信号の中から１つを選択し、選択した映像信号に対応する映像を表示部１９に表示させるように、表示制御を行う。
【００２６】
A/D変換部２０は、PC入力部２０からのデジタルの映像信号を、アナログの映像信号に変換し、表示制御部１８に出力する。
【００２７】
チューナ部２１は、アンテナ部１３を介して受信された放送番組等を構成する映像信号と音声信号ASとのうち、映像信号を映像信号切替部１７に、音声信号ASを音声信号切替部２４に、それぞれ出力する。
【００２８】
画像処理部２２は、ビデオ入力部１４Ｖからの映像信号を、画像処理を施した上で、映像信号切替部１７に出力する。
【００２９】
CPU（Central Processing Unit）２３は、画像表示装置全体を制御する。
【００３０】
例えば、CPU２３は、制御ラインａを介して、映像信号切替部１７および表示制御部１８における映像信号の切り替えを制御する。
【００３１】
また例えば、CPU２３は、検出ラインｂを介して、DVI/HDMI入力部１１Ｖに入力された信号の種類を検出する。即ち、DVI信号であるのかHDMI信号であるのかが検出される。換言すると、DVI信号には音声信号は含まれていないので、DVI/HDMI入力部１１Ｖに入力された信号には、音声信号が含まれているのか否かが検出される。即ち、D/A変換部１６からの音声信号ASの出力の有無が検出される。
【００３２】
また例えば、CPU２３は、検出ラインａを介して、音声入力部１２Ａおよび音声入力部１４からの音声信号ASの出力の有無を検出する。
【００３３】
また例えば、CPU２３は、音声信号ASの出力の有無の検出結果に基づいて、制御ラインｂを介して、音声信号切替部２４における音声信号の切り替えを制御する。
【００３４】
なお、検出ラインｂを介したDVI/HDMI入力部１１Ｖに入力された信号の種類の検出手法の具体例については、図２，図３を用いて後述する。また、検出ラインａを介した音声信号ASの出力の有無の検出手法の具体例についても後述する。
【００３５】
音声切替部２４には、上述したように、音声入力部１２Ａ，１４Ａ、チューナ部２１、並びにD/A変換部１６から出力された音声信号ASが入力される。音声切替部２４は、CPU２３の制御に基づいて、これらの入力された音声信号ASの中から１つを選択し、選択した音声信号ASを音声出力制御部２５に出力する。
【００３６】
音声出力制御部２５は、音声切替部２４からの音声信号ASに対応する音声を音声出力部２６から出力させるように、音声出力制御をする。
【００３７】
図２は、DVI/HDMI入力部１１Ｖの詳細な構成例を示している。
【００３８】
図２の例では、送信元からDVI/HDMI信号が、TMDS伝送方式によりDVI/HDMI入力部１１Ｖに伝送される。即ち、DVI/HDMI入力部１１Ｖには、DVI信号または/HDMI信号がTMDS信号として伝送されてくる。
【００３９】
図２に示されるように、送信元が、HDMIシステムにおけるソースに該当する。DVI/HDMI入力部１１Ｖが、HDMIシステムにおけるシンクに該当する。そこで、以下、ソースとシンクという呼称を用いて説明する。
【００４０】
はじめに、ソースからシンクにHDMI信号が伝送されてくる場合について説明する。
【００４１】
ソースは、１の垂直同期信号から次の垂直同期信号までの区間（以下、適宜、ビデオフィールドという）から、水平帰線区間及び垂直帰線区間を除いた区間である有効画像区間（以下、適宜、アクティブビデオ区間ともいう）において、非圧縮の１画面分の画像の画素データ（ピクセルデータ）を元のビット長より長いビット長のデータに変換して得られる第１データ(アクティブビデオデータ)に対応する差動信号を、複数のチャンネルで、シンクに一方向に送信するとともに、水平帰線区間又は垂直帰線区間において、少なくとも画像に付随する音声データを含む第２データに対応する差動信号を、複数のチャンネルで、シンクに一方向に送信する。
【００４２】
すなわち、ソースは、エンコーダ／シリアライザ４１乃至４３を含むトランスミッタを有する。トランスミッタは、例えば、非圧縮の画像の画素データの８ビット単位のシーケンスを、その８ビット単位より長い１０ビット単位のシーケンスに変換し、その１０ビット単位のデータである第１データを、対応する差動信号に変換する。さらに、トランスミッタ１１は、第１データに対応する差動信号を、複数のチャンネルである３つのChannel0，1，２で、ケーブルを介して接続されているシンクに、一方向にシリアル伝送する。
【００４３】
また、トランスミッタは、非圧縮の画像に付随する音声データ、さらには、必要な制御用のデータその他の補助データ(Auxiliary data)等である第２データを、対応する差動信号に変換し、その第２データに対応する差動信号を、３つのChannel0，1，２で、ケーブルを介して接続されているシンクに、一方向にシリアル伝送する。
【００４４】
さらに、トランスミッタは、３つのChannel0，1，２で送信する画素データ（ピクセルデータ）に同期したピクセルクロックを、Clock Channelで、ケーブルを介して接続されているシンクに送信する。
【００４５】
以上の内容を、３つのChannel0，1，２毎に区分して説明すると、次のようになる。即ち、Channel 0にて、ピクセルデータ,H Sync,V Sync、Auxiliary data がシリアライズされて伝送される。Channel １にて、ピクセルデータ、CTL0、CTL1、Auxiliary data がシリアライズされて伝送される。Channel ２にて、ピクセルデータ、CTL2、CTL3、Auxiliary data がシリアライズされて伝送される。
【００４６】
図３は、これらのデータの伝送の仕方の詳細を示している。図３中CTL Period，Data Island Periodが、水平帰線区間又は垂直帰線区間を示している。図３中Video Data Periodが、アクティブビデオ区間を示している。
【００４７】
シンクは、アクティブビデオ区間において、複数のチャンネルで、ソースから一方向に送信されてくる、第１データ(アクティブビデオデータ)に対応する差動信号を受信するとともに、水平帰線区間又は垂直帰線区間において、複数のチャンネルで、ソースから一方向に送信されてくる、第２データに対応する差動信号を受信する。
【００４８】
すなわち、シンクは、リカバリ／デコーダ５１乃至５３を含むレシーバを有する。レシーバは、３つのChannel0，1，２で、ケーブルを介して接続されているソースから一方向に送信されてくる、第１データに対応する差動信号と、第２データに対応する差動信号を、同じくソースからClock Channelで送信されてくるピクセルクロックに同期して受信する。
【００４９】
次に、ソースからシンクにDVI信号が伝送されてくる場合について説明する。
【００５０】
アクティブビデオ区間（Video Data Period）におけるデータ伝送の仕方は、HDMI信号の伝送の仕方と基本的に同様である。
【００５１】
しかしながら、DVI信号では、Auxiliary Dataがシリアライズされない。従って、CTL Period，Data Island Periodにおいて、図３中灰色のデータが、ソースからシンクに伝送されてこない。
【００５２】
よって、シンクは、DVI/HDMI入力部１１ＶにTMDS信号が入力された場合、CTL Period，Data Island Periodにおいて、図３中灰色のデータが存在するか否かを検出することができる。そこで、CPU２３は、この検出結果に基づいて、DVI/HDMI入力部１１に入力されたTMDS信号の種類を検出することができる。即ち、CPU２３は、DVI/HDMI入力部１１Ｖに入力されたTMDS信号が、DVI信号であるのかHDMI信号であるのかを判定することができる。
【００５３】
具体的には、シンクは、図３におけるData Island PeriodにおけるGuard Bandの有無を検出することができる。
この検出結果は、DVI/HDMI入力部１１Ｖの内部レジスタに反映される。そこで、CPU２３は、この内部レジスタを参照することで、DVI/HDMI入力部１１Ｖに入力されたTMDS信号がDVI信号であるのかHDMI信号であるのかを検出ラインｂを介して認識することができる。
【００５４】
換言すると、上述したように、DVI信号は音声信号を含まないので、DVI/HDMI入力部１１ＶにDVI信号が入力された場合にはD/A変換部１６から音声信号ASは出力されない。よって、DVI信号であるのかHDMI信号であるのかを判定することは、D/A変換部１６から音声信号切替部２４に対する音声信号ASの出力の有無を検出することを意味している。
【００５５】
また、本実施の形態では、音声入力部１２Ａ，１４Ａはいずれも、音声入力ピンとして採用されるRCAピンやステレオミニジャックといった入力端子によって構成されているとする。この場合、CPU２３は、検出ラインａを介して、これらの入力端子にケーブルが接続されているのか否かを物理的に検出することができる。
【００５６】
換言すると、音声入力部１２Ａ，１４Ａとしての入力端子にケーブルが接続されているのか否かを物理的に検出することを、音声入力部１２Ａ，１４Ａから音声信号切替部２４に対する音声信号ASの出力の有無を検出するとみなすことにする。つまり、検出ラインａによる検出とは、入力端子にケーブルが接続されていれば音声信号AS有り、未接続であれば音声信号AS無しとするものである。
【００５７】
即ち、CPU２３による検出ラインａ，ｂによる検出とは、音声信号切替部２４に入力される音声信号ASの有無の検出に他ならない。よって、以下、CPU２３による検出ラインａ，ｂによる検出をまとめて、音声信号検出手法と称する。
【００５８】
図４は、音声信号検出手法が適用された図１の構成の情報処理装置が、ユーザが視聴する音声信号を選択する処理（以下、単に音声信号選択処理と称する）の一例について説明するフローチャートである。
【００５９】
なお、説明の簡略上、図４の例では、音声信号検出手法による検出対象は、検出ラインｂのみが採用されている。そして、音声入力部１２Ａ，１４Ａからは音声信号ASが常時入力されていることが前提とされている。もっとも、この前提は必須ではない。上述の如く、検出ラインａによる音声信号ASの有無の検出ができるからである。そして、音声信号検出手法による検出対象として検出ラインａが採用されても、後述するステップＳ１を変更するだけで、それ以降の処理は全く同様に実現することが可能だからである。
【００６０】
ステップＳ１において、CPU２３は、DVI/HDMI入力部１１Ｖに入力された信号の種類を検出することで、音声信号切替部２４に入力される音声信号ASの有無を検出する。即ち、DVI/HDMI入力部１１ＶにHDMI信号が入力された場合、音声信号ASがあると検出される。以下、かかる検出結果を「音声入力あり」と称する。これに対して、DVI/HDMI入力部１１ＶにDVI信号が入力された場合、音声信号ASがないと検出される。以下、かかる検出結果を「音声入力なし」と称する。
【００６１】
なお、以下、このようなステップＳ１の処理を、音声信号検出処理と称する。音声信号検出処理の詳細例については、図５を用いて後述する。
【００６２】
ステップＳ２において、CPU２３は、ユーザにより選択された入力部に音声信号があるか否かを判定する。
【００６３】
ユーザが選択可能な入力部としては、本実施の形態では、DVI/HDMI入力部１１Ｖ、および音声入力部１２Ａ，１４Ａが存在する。
【００６４】
ユーザにより選択された入力部が音声入力部１２Ａ，１４Ａの場合、本実施の形態では、上述した前提事項より、音声入力部１２Ａ，１４Ａには常時音声信号ASが入力されているので、ステップＳ２においてYESであると判定されて、処理はステップＳ１２に進む。
【００６５】
なお、この前提事項が無く、検出ラインａによる音声信号ASの有無の検出も行われる場合、その検出結果によって、ステップＳ２の判定処理が実行される。
【００６６】
また、ユーザにより選択された入力部がDVI/HDMI入力部１１Ｖであって、ステップＳ１の処理で「音声入力あり」が検出された場合、即ち、DVI/HDMI入力部１１ＶにHDMI信号が入力されている場合、ステップＳ２においてYESであると判定されて、処理はステップＳ１２に進む。
【００６７】
ステップＳ１２において、CPU２３は、選択された入力部の音声信号ASを出力するように制御する。即ち、CPU２３は、選択された入力部の音声信号ASが音声信号切替部２４から出力されるよう、音声信号切替部２４を制御する。これにより、選択された入力部の音声信号ASが、音声信号切替部２４から出力されて音声出力制御部２５に入力される。そして、音声出力制御部２５の制御により、選択された入力部の音声信号ASに対応する音声が、音声出力部２６から出力される。
【００６８】
これにより、音声信号選択処理は終了となる。
【００６９】
これに対して、ユーザにより選択された入力部がDVI/HDMI入力部１１Ｖであって、ステップＳ１の処理で「音声入力なし」が検出された場合、即ち、DVI/HDMI入力部１１ＶにDVI信号が入力されている場合、ステップＳ２においてNOであると判定されて、処理はステップＳ３に進む。
【００７０】
ステップＳ３において、CPU２３は、表示部１９の表示が多画面表示であるか否かを判定する。
【００７１】
ステップＳ３において、多画面表示でないと判定された場合、処理はステップＳ１０に進む。ただし、ステップＳ１０以降の処理については後述する。
【００７２】
これに対して、ステップＳ３において、多画面表示であると判定された場合、処理はステップＳ４に進む。
【００７３】
ステップＳ４において、CPU２３は、表示部１９に表示されている画面のうち、親画面に音声信号があるか否かを判定する。
【００７４】
親画面に音声信号があるとは、親画面に表示された映像に対応する映像信号と組になる音声信号ASがあることを意味する。なお、このことは子画面でも同様である。
【００７５】
例えば本実施の形態では、前提事項より音声入力部１４Ａには音声信号ASが常に入力されているので、音声入力部１４Ａと組になるビデオ入力部１４Ｖに入力された映像信号に対応する映像が親画面に表示されている場合、ステップＳ４において、親画面に音声信号があると判定される。このような場合、処理はステップＳ９に進む。
【００７６】
ステップＳ９において、CPU２３は、親画面の音声信号ASを出力するように制御する。即ち、CPU２３は、親画面の音声信号AS（上述の例の場合音声入力部１４Ａからの音声信号AS）が音声信号切替部２４から出力されるよう、音声信号切替部２４を制御する。これにより、親画面の音声信号ASが、音声信号切替部２４から出力されて音声出力制御部２５に入力される。そして、音声出力制御部２５の制御により、親画面の音声信号ASに対応する音声が、音声出力部２６から出力される。
【００７７】
これにより、音声信号選択処理は終了となる。
【００７８】
これに対して、例えば、親画面に表示された映像に対応する映像信号がDVI信号の場合、ステップＳ４において、親画面に音声信号がないと判定されて処理はステップＳ５に進む。
【００７９】
ステップＳ５において、CPU２３は、表示部１９に表示されている画面のうち、子画面が１つであるか否かを判定する。
【００８０】
ステップＳ５において、子画面が１つであると判定された場合、処理はステップＳ８に進む。
【００８１】
ステップＳ８において、CPU２３は、子画面の音声信号ASを出力するように制御する。即ち、CPU２３は、子画面の音声信号ASが音声信号切替部２４から出力されるよう、音声信号切替部２４を制御する。これにより、子画面の音声信号ASが、音声信号切替部２４から出力されて音声出力制御部２５に入力される。そして、音声出力制御部２５の制御により、子画面の音声信号ASに対応する音声が、音声出力部２６から出力される。
【００８２】
これにより、音声信号選択処理は終了となる。
【００８３】
これに対して、ステップＳ５において、子画面が１つでないと判定された場合、処理はステップＳ６に進む。
【００８４】
ステップＳ６において、CPU２３は、表示部１９に、子画面の音声信号選択画面を表示するように制御する。表示部１９表示された子画面の音声信号選択画面より、ユーザは、画像表示装置のメニューやリモートコントローラ等を操作することで、自らが視聴したい子画面の音声信号を選択する。
【００８５】
ステップＳ７において、CPU２３は、ユーザにより選択された子画面の音声信号ASが音声信号切替部２４から出力されるよう、音声信号切替部２４を制御する。これにより、ユーザにより選択された子画面の音声信号ASが、音声信号切替部２４から出力されて音声出力制御部２５に入力される。そして、音声出力制御部２５の制御により、ユーザにより選択された子画面の音声信号ASに対応する音声が、音声出力部２６から出力される。
【００８６】
これにより、音声信号選択処理は終了となる。
【００８７】
以上、表示部１９の表示が多画面表示である場合の音声信号選択処理について説明した。
【００８８】
これに対して、多画面表示でない場合、ステップＳ３の処理でＮＯであると判定されて、処理はステップＳ１０に進む。
【００８９】
ステップＳ１０において、CPU２３は、表示部１９に、他の接続機器の音声信号選択画面を表示するように制御する。表示部１９に表示された他の接続機器の音声信号選択画面より、ユーザは、例えば画像表示装置のリモートコントローラを操作すること等で、自らが視聴したい他の接続機器の音声信号を選択することが可能となる。
【００９０】
ステップＳ１１において、CPU２３は、ユーザにより選択された他の接続機器の音声信号ASが音声信号切替部２４から出力されるよう、音声信号切替部２４を制御する。これにより、ユーザにより選択された他の接続機器の音声信号ASが、音声信号切替部２４から出力されて音声出力制御部２５に入力される。そして、音声出力制御部２５の制御により、ユーザにより選択された他の接続機器の音声信号ASに対応する音声が、音声出力部２６から出力される。
【００９１】
これにより、音声信号選択処理は終了となる。
【００９２】
以上、図４の例の音声信号選択処理について説明した。次に、図５を参照して、ステップＳ１の音声信号検出処理の一例について説明する。なお、前述したとおり、図４の例では、音声信号検出手法による検出対象は、検出ラインｂのみが採用されている。従って図５は、検出ラインｂを音声信号検出処理対象とする。
【００９３】
ステップＳ３１において、DVI/HDMI入力部１１Ｖは、入力されたTMDS信号にGuard Bandがあるか否かを判定する。即ち、DVI/HDMI入力部１１Ｖは、ソースからTMDS信号が入力された場合、Data Island PeriodにおいてGuard Bandがあるか否かを判定する。
【００９４】
ステップＳ３１において、Guard Bandがないと判定された場合、処理はステップＳ３４に進む。ただし、ステップＳ３４以降の処理については後述する。
【００９５】
ステップＳ３１において、Guard Bandがあると判定された場合、処理はステップＳ３２に進む。
【００９６】
ステップＳ３２において、CPU２３は、入力されたTMDS信号がHDMI信号であると検出する。
【００９７】
ステップＳ３３において、CPU２３は、ステップＳ３２における検出結果を、「音声入力あり」として出力する。これにより、図４のステップＳ１の音声信号検出処理が終了し、処理は図４のステップＳ２に戻される。
【００９８】
以上、ソースから入力されたTMDS信号のうちData Island PeriodにおいてGuard Bandがある場合の音声信号検出処理について説明した。
【００９９】
これに対して、ソースから入力されたTMDS信号のうちData Island PeriodにおいてGuard Bandがない場合、ステップＳ３１の処理でＹＥＳあると判定されて、処理はステップＳ３４に進む。
【０１００】
ステップＳ３４において、CPU２３は、入力されたTMDS信号がDVI信号であると検出する。
【０１０１】
ステップＳ３５において、CPU２３は、ステップＳ３４における検出結果を、「音声入力なし」として出力する。これにより、図４のステップＳ１の音声信号検出処理が終了し、処理は図４のステップＳ２に戻される。
【０１０２】
以上の音声信号選択処理を用いることにより、表示画面に音声信号がない場合に、画像入力選択とは独立して音声選択を行うことが可能になる。よって、次のような効果を得ることができる。
【０１０３】
例えば、パーソナルコンピュータで作業をしながら、音声は別入力の音声（例えば、テレビジョン受像機の音声）を視聴することにより、気になる部分を見逃さないようにしたい、といったユーザの要求に応えることができる、という効果を奏することが可能になる。
【０１０４】
また、ユーザが選択した入力端子に音声入力が存在しないことをユーザに表示等で告知来ることにより、別の音声入力をより一段と効果的に利用するよう促すことができる、という効果を奏することが可能となる。
【０１０５】
ところで、上述した一覧表示処理も含む一連の処理は、ハードウエアにより実行させることもできるし、ソフトウエアにより実行させることもできる。
【０１０６】
上述した一連の処理をソフトウエアにより実行させる場合、本発明が適用される画像表示装置は、例えば、図６に示されるコンピュータを含むように構成することもできる。或いは、図６のコンピュータによって、本発明が適用される画像表示装置の駆動が制御されてもよい。
【０１０７】
図６において、CPU２０１は、ROM（Read Only Memory）２０２に記録されているプログラム、または記憶部２０８からRAM（Random Access Memory）２０３にロードされたプログラムに従って各種の処理を実行する。RAM２０３にはまた、CPU２０１が各種の処理を実行する上において必要なデータなども適宜記憶される。
【０１０８】
CPU２０１、ROM２０２、およびRAM２０３は、バス２０４を介して相互に接続されている。このバス２０４にはまた、入出力インタフェース２０５も接続されている。
【０１０９】
入出力インタフェース２０５には、キーボード、マウスなどよりなる入力部２０６、ディスプレイなどよりなる出力部２０７、ハードディスクなどより構成される記憶部２０８、および、モデム、ターミナルアダプタなどより構成される通信部２０９が接続されている。通信部２０９は、インターネットを含むネットワークを介して他の装置（図示せず）との間で行う通信を制御する。
【０１１０】
入出力インタフェース２０５にはまた、必要に応じてドライブ２１０が接続され、磁気ディスク、光ディスク、光磁気ディスク、或いは半導体メモリなどよりなるリムーバブル記録媒体２１１が適宜装着され、それらから読み出されたコンピュータプログラムが、必要に応じて記憶部２０８にインストールされる。
【０１１１】
一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークや記録媒体からインストールされる。
【０１１２】
このようなプログラムを含む記録媒体は、図６に示されるように、装置本体とは別に、視聴者にプログラムを提供するために配布される、プログラムが記録されている磁気ディスク（フロッピディスクを含む）、光ディスク（CD-ROM(Compact Disk-Read Only Memory),DVD(Digital Versatile Disk)を含む）、光磁気ディスク（ＭＤ（Mini-Disk）を含む）、もしくは半導体メモリなどよりなるリムーバブル記録媒体（パッケージメディア）３１１により構成されるだけでなく、装置本体に予め組み込まれた状態で視聴者に提供され
る、プログラムが記録されているROM２０２や、記憶部２０８に含まれるハードディスクなどで構成される。
【０１１３】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
【０１１４】
また、本明細書において、システムとは、複数の装置や処理部により構成される装置全体を表すものである。
【図面の簡単な説明】
【０１１５】
【図１】本発明を適用した画像表示装置の一実施の形態の構成を示すブロック図である。
【図２】図１のDVI/HDMI信号の伝送方式を説明するためのブロック図である。
【図３】図２の伝送方式を説明するための図である。
【図４】音声信号選択処理を説明するフローチャートである。
【図５】音声信号検出処理を説明するフローチャートである。
【図６】本発明が適用される画像表示装置に含まれるまたはその駆動を制御するコンピュータの構成例を示すブロック図である。
【符号の説明】
【０１１６】
１１Ｖ  DVI/HDMI入力部（HDMIレシーバ），  １１Ａ，１２Ａ，１４Ａ  音声入力部，  １２Ｖ  PC入力部，  １３  アンテナ部，  １４Ｖ  ビデオ入力部，  １６  D/A変換部，  １７  映像信号切替部，  １８  表示制御部，  １９  表示部，  ２０  A/D変換部，  ２１  チューナ部，  ２２  画像処理部，  ２３  CPU，  ２４  音声信号切替部，  ２５  音声表示制御部，  ２６音声出力部，  ４１，４２，４３  エンコーダ／シリアライザ，  ５１，５２，５３  リカバリ／デコーダ，  ２０１  CPU，  ２０２  ＲＯＭ，  ２０３  ＲＡＭ，  ２０４  バス，  ２０５  入出力インタフェース，  ２０６  入力部，  ２０７  出力部，  ２０８  記憶部，  ２０９  通信部，  ２１０  ドライブ，  ２１１  リムーバブルメディア
【図１】
2010028552.tif 000003
【図２】
2010028552.tif 000004
【図３】
2010028552.tif 000005
【図４】
2010028552.tif 000006
【図５】
2010028552.tif 000007
【図６】
2010028552.tif 000008
【手続補正書】
【提出日】平成20年9月3日(2008.9.3)
【手続補正１】
【補正対象書類名】明細書
【補正対象項目名】０００１
【補正方法】変更
【補正の内容】
【０００１】
本発明は、情報処理装置および方法、並びにプログラムに関し、特に、TMDS（Transiti
on Minimized Differential Signaling）信号が入力される場合に音声信号の有無を検出
することができるようになった情報処理装置および方法、並びにプログラムに関する。
【手続補正２】
【補正対象書類名】明細書
【補正対象項目名】０００４
【補正方法】変更
【補正の内容】
【０００４】
従って、TMDS信号が入力される場合、音声信号の有無の検出が重要である。しかしながら、かかる検出手法として適切な手法が存在しない状況である。
【手続補正３】
【補正対象書類名】明細書
【補正対象項目名】０００５
【補正方法】変更
【補正の内容】
【０００５】
従って、TMDS信号が入力される場合、音声信号の有無の検出が重要である。しかしながら、かかる検出手法として適切な手法が存在しない状況である。
【手続補正４】
【補正対象書類名】明細書
【補正対象項目名】００１１
【補正方法】変更
【補正の内容】
【００１１】
以上のごとく、本発明によれば、入力されたTMDS信号が、音声信号のあるHDMI信号であるのか、それとも音声信号のないDVI信号であるのかを的確に検出できる。
【手続補正５】
【補正対象書類名】明細書
【補正対象項目名】００９９
【補正方法】変更
【補正の内容】
【００９９】
これに対して、ソースから入力されたTMDS信号のうちData Island PeriodにおいてGuard Bandがない場合、ステップＳ３１の処理でＮＯであると判定されて、処理はステップＳ３４に進む。